(57)【要約】【課題】  テレビ局から放送された映像内容のテキストデータや映像内容を、企業又は団体の広告情報と共にユーザの端末機へ配信することができる特定情報関連広告配信システムを提供する。【解決手段】  テレビ局により放送された番組の映像及び番組タイトルのテキストデータ、チャンネル名並びに放送時間を表示するタイムスタンプを有するカップリングテキストデータを格納するカップリングテキストデータベースサーバと、顧客の広告情報データを格納する広告情報データベースサーバと、広域通信ネットワークを介して上記カップリングテキストデータベースサーバにアクセスして上記カップリングテキストデータを取得すると共に、上記広告情報データベースサーバにアクセスして上記広告情報データベースサーバから上記広告情報データを取得して、上記カップリングテキストデータ及び上記広告情報データをディスプレイに表示しうる端末機とを備えたことを特徴とする特定情報関連広告配信システムである。【選択図】  図１
2015049286.tif 000002
【特許請求の範囲】
【請求項１】
テレビ局により放送された番組の映像及び番組タイトルのテキストデータ、チャンネル名並びに放送時間を表示するタイムスタンプを有するカップリングテキストデータを格納するカップリングテキストデータベースサーバと、顧客の広告情報データを格納する広告情報データベースサーバと、広域通信ネットワークを介して上記カップリングテキストデータベースサーバにアクセスして上記カップリングテキストデータを取得すると共に、上記広告情報データベースサーバにアクセスして上記広告情報データベースサーバから上記広告情報データを取得して、上記カップリングテキストデータ及び上記広告情報データをディスプレイに表示しうる端末機とを備えたことを特徴とする特定情報関連広告配信システム。
【請求項２】
上記広告情報データは、上記顧客の広告情報を表示する広告情報表示データと、上記顧客が予め選択した、上記端末機の上記ディスプレイ上に表示される上記広告情報表示データの表示条件とを含むことを特徴とする請求項１に記載の特定情報関連広告配信システム。
【請求項３】
上記番組の映像は、放映されたニュースであると共に、上記広告情報表示データの上記表示条件は、表示時間帯、所定時間内の表示回数、表示時間、表示ディスプレイ内における表示位置、上記特定情報との関連性又はキーワードであることを特徴とする請求項１又は２の何れか１項に記載の特定情報関連広告配信システム。
【請求項４】
上記カップリングテキストデータは、上記ニュースのジャンルにより表示できることを特徴とする請求項３に記載の特定情報関連広告配信システム。
【請求項５】
上記端末機は、ＰＤＡであることを特徴とする請求項１に記載の特定情報関連広告配信システム。
【請求項６】
上記広告情報表示データには、該当する顧客が所有するウェブサイトを特定するためのＵＲＬによるハイパーリンクが形成されていることを特徴とする請求項２に記載の特定情報関連広告配信システム。
【請求項７】
上記広告情報表示データには、上記顧客の取扱商品の広告映像がアップされている動画サイトにおける該当するウェブページを特定するためのＵＲＬによるハイパーリンクが形成されていることを特徴とする請求項２に記載の特定情報関連広告配信システム。
【請求項８】
テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして上記カップリングテキストデータを取得すると共に、上記録画装置の上記録画ファイルにアクセスして上記カップリングテキストデータに対応する映像情報を上記録画ファイルから取得して上記ディスプレイへ表示しうるように構成されたことを特徴とする請求項１に記載の特定情報関連広告配信システム。
【請求項９】
テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして特定の顧客の広告に関するカップリングテキストデータを取得すると共に、上記録画装置の上記録画ファイルにアクセスして上記カップリングテキストデータに対応する広告に関する映像情報を上記録画ファイルから取得して上記ディスプレイへ表示しうるように構成されたことを特徴とする請求項１に記載の特定情報関連広告配信システム。
【請求項１０】
上記広告情報データベースサーバは、広告映像データを有し、上記端末機は、上記広域通信ネットワークを介して上記カップリングテキストデータベースサーバにアクセスして特定の顧客の広告に関するカップリングテキストデータを取得すると共に、上記広告情報データベースサーバにアクセスして上記カップリングテキストデータに対応する広告映像を取得して上記ディスプレイへ表示しうるように構成されたことを特徴とする請求項１記載の特定情報関連広告配信システム。
【発明の詳細な説明】
【技術分野】
【０００１】
本発明は、特定情報関連広告配信システムに関するものである。
【背景技術】
【０００２】
近年、テレビジョン放送の多チャンネル化やインターネットに代表されるコンピュータネットワークの急速な普及に伴い、膨大な映像が社会一般に流通している一方で、記録メディア容量の増大に伴い大量の映像の蓄積が可能になっている。
【０００３】
このように蓄積された大量の映像の中からユーザが希望する番組や、その中の特定の映像シーンを簡単且つ迅速に高い精度で取り出すための技術が要請されており、画像認識又は音声認識を活用したキーワード検索により、端末機そのものでユーザの所望する録画ファイルを検索し、再生する録画再生方法が考えられてきた。
【０００４】
このような観点から、本願発明者は、テレビ局から放送されたテレビ番組映像を所定時間に亘って録画してタイムスタンプを付して保存した録画ファイルを作成すると共に、解析集中センターで作成した放送番組のタイトルテキストデータ及び放送番組内容テキストデータにチャンネル名とタイムスタンプをカップリングしたカップリングテキストデータを作成し、録画された映像とチャンネル名及びタイムスタンプをカップリングしたテキストデータとをタイムスタンプを介してマッチングすることにより、ユーザの表示装置に表示されたテキストデータに基づきユーザが希望する番組又は番組コーナーの映像を迅速に再生する技術を提案している（特許文献１参照）。
【０００５】
しかしながら、特許文献１には、テレビ放送映像のテキストデータや、テキストデータに対応する映像内容と共に、企業、団体の広告情報を端末機へ送信し、ユーザが保持する端末機のディスプレイに表示させて企業や団体の経済活動を増大させうる技術は開示されていない。
【特許文献１】特許第４２２７８６６号公報
【発明の開示】
【発明が解決しようとする課題】
【０００６】
本発明は、上記従来技術の有する問題点に鑑みなされたものであり、その課題は、テレビ局から放送された映像内容のテキストデータや映像内容を、企業又は団体の広告情報と共にユーザの端末機へ配信することができる特定情報関連広告配信システムを提供することにある。
【課題を解決するための手段】
【０００７】
請求項１の発明に係る特定情報関連広告配信システムは、テレビ局により放送された番組の映像及び番組タイトルのテキストデータ、チャンネル名並びに放送時間を表示するタイムスタンプを有するカップリングテキストデータを格納するカップリングテキストデータベースサーバと、顧客の広告情報データを格納する広告情報データベースサーバと、広域通信ネットワークを介して上記カップリングテキストデータベースサーバにアクセスして上記カップリングテキストデータを取得すると共に、上記広告情報データベースサーバにアクセスして上記広告情報データベースサーバから上記広告情報データを取得して、上記カップリングテキストデータ及び上記広告情報データをディスプレイに表示しうる端末機とを備えたことを特徴とする。
【０００８】
従って、本システムの顧客である一般企業や団体は、本システムを利用して企業や団体の広告情報を端末機のディスプレイ上に表示させることができる。
【０００９】
また、本システムのユーザは、端末機のディスプレイ上において、テレビ局により放送された映像情報の内容に対応するテキストデータのうち、抽出された特定情報及び、配信された顧客である企業又は団体の広告情報を視認することができる。
【００１０】
請求項２の発明に係る特定情報関連広告配信システムは、上記広告情報データは、上記顧客の広告情報を表示する広告情報表示データと、上記顧客が予め選択した、上記端末機の上記ディスプレイ上に表示される上記広告情報表示データの表示条件とを含むことを特徴とする。
【００１１】
ここで、上記「広告情報表示データ」とは、顧客である企業又は団体の広告を表示するデータであり、例えば、端末機のディスプレイに表示される、当該企業又は団体のバナー広告である。
【００１２】
請求項３の発明に係る特定情報関連広告配信システムは、上記番組の映像は、放映されたニュースであると共に、上記広告情報表示データの上記表示条件は、表示時間帯、所定時間内の表示回数、表示時間、表示ディスプレイ内における表示位置、上記特定情報との関連性又はキーワードであることを特徴とする。
【００１３】
従って、本システムのユーザは、端末機のディスプレイ上において、テレビから放送されたニュース番組の内容の全テキストデータのうち、特定のテキストデータを視認することができる。
【００１４】
また、広告情報表示データは、表示条件により表示の仕方を顧客が適宜選択することができるように構成されている。
【００１５】
即ち、広告情報表示データは、表示時間帯、所定時間内の表示回数、表示時間が異なり、表示ディスプレイ、即ち、端末機のディスプレイ内における表示位置、特定のテキストデータであるニュースとの関連性により表示回数、表示位置が異なり、また、端末機における検索機能による検索においてキーワードに合致した場合に表示されるように構成することもできる。
【００１６】
請求項４の発明に係る特定情報関連広告配信システムは、上記カップリングテキストデータは、上記ニュースのジャンルにより表示できることを特徴とする。
【００１７】
従って、テレビ局により放送されたニュースの中で、政治、経済、海外、文化、スポーツ、エンタメ等の各分野のニュースに関連付けて、上記端末機のディスプレイ上に上記広告情報表示データを表示させることができる。
【００１８】
請求項５の発明に係る特定情報関連広告配信システムは、上記端末機は、ＰＤＡであることを特徴とする。
【００１９】
従って、請求項５記載の発明にあっては、例えば、携帯電話、スマートフォン、タブレット型コンピュータ等のディスプレイ上に、映像情報のテキストデータの中の特定のテキストデータ及び広告情報表示データを表示させることができる。
【００２０】
請求項６の発明に係る特定情報関連広告配信システムは、上記広告情報表示データには、該当する顧客が所有するウェブサイトを特定するためのＵＲＬによるハイパーリンクが形成されていることを特徴とする。
【００２１】
従って、請求項６記載の発明にあっては、本システムのユーザは端末機のディスプレイにおいて広告情報表示データ、例えば、バナーを操作することによりハイパーリンクが形成された当該広告情報表示データに該当する顧客のウェブサイトを参照することができる。
【００２２】
請求項７の発明に係る特定情報関連広告配信システムは、上記広告情報表示データには、上記顧客の取扱商品の広告映像がアップされている動画サイトにおける該当するウェブページを特定するためのＵＲＬによるハイパーリンクが形成されていることを特徴とする。
【００２３】
従って、請求項７記載の発明にあっては、本システムのユーザは端末機のディスプレイにおいて広告情報表示データ、例えば、バナーを操作することによりハイパーリンクが形成された当該広告情報表示データに顧客の取扱商品の広告映像がアップされている動画サイトの該当するウェブページを参照することができる。
【００２４】
請求項８の発明に係る特定情報関連広告配信システムは、テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして上記カップリングテキストデータを取得すると共に、上記録画装置の上記録画ファイルにアクセスして上記カップリングテキストデータに対応する映像情報を上記録画ファイルから取得して上記ディスプレイへ表示しうるように構成されたことを特徴とする。
【００２５】
従って、請求項８に記載の発明にあっては、請求項１に記載の発明とは異なり、本システムのユーザは、端末機のディスプレイ上において、テレビ局から放送された各種の映像及び対応するテキストデータの双方、並びに広告情報を視認することができる。
【００２６】
請求項９の発明に係る特定情報関連広告配信システムは、テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして特定の顧客の広告に関するカップリングテキストデータを取得すると共に、上記録画装置の上記録画ファイルにアクセスして上記カップリングテキストデータに対応する広告に関する映像情報を上記録画ファイルから取得して上記ディスプレイへ表示しうるように構成されたことを特徴とする。
【００２７】
従って、ユーザは、端末機のディスプレイ上において所望の広告映像を視認することができる。
【００２８】
請求項１０記載の発明にあっては、上記広告情報データベースサーバは、広告映像データを有し、上記端末機は、上記広域通信ネットワークを介して上記カップリングテキストデータベースサーバにアクセスして特定の顧客の広告に関するカップリングテキストデータを取得すると共に、上記広告情報データベースサーバにアクセスして上記カップリングテキストデータに対応する広告映像を取得して上記ディスプレイへ表示しうるように構成されたことを特徴とする。
【００２９】
従って、ユーザは、端末機のディスプレイ上において所望の広告映像を視認することができる。
【発明の効果】
【００３０】
請求項１の発明にあっては、テレビ局により放送された番組の映像及び番組タイトルのテキストデータ、チャンネル名並びに放送時間を表示するタイムスタンプを有するカップリングテキストデータを格納するカップリングテキストデータベースサーバと、顧客の広告情報データを格納する広告情報データベースサーバと、広域通信ネットワークを介して上記カップリングテキストデータベースサーバにアクセスして上記カップリングテキストデータを取得すると共に、上記広告情報データベースサーバにアクセスして上記広告情報データベースサーバから上記広告情報データを取得して、上記カップリングテキストデータ及び上記広告情報データをディスプレイに表示しうる端末機とを備えていることから、上記カップリングテキストデータ及び上記広告情報データを、上記端末機のディスプレイ上に表示させることができる。
【００３１】
その結果、本システムの顧客である一般企業や団体は、本システムを利用して企業や団体の広告情報を端末機のディスプレイ上に表示させることができると共に、本システムのユーザは、端末機のディスプレイ上において、テレビ局により放送された映像情報の内容に対応するテキストデータのうち、抽出された特定情報及び、配信された顧客である企業又は団体の広告情報を視認することができるから、ユーザは、放送番組のテキストデータと共に、一般企業又は団体の広告を、上記広告情報として上記端末機のディスプレイ上で視認することができるため、端末機のユーザに対して広告情報を容易にアピールすることができ、当該企業又は団体の広告効果を増大させることができる。
【００３２】
請求項２の発明にあっては、上記広告情報データは、上記顧客の広告情報を表示する広告情報表示データと、上記顧客が予め選択した、上記端末機の上記ディスプレイ上に表示される上記広告情報表示データの表示条件とを含むことから、上記カップリングテキストデータ及び上記広告情報データを、上記広告情報表示データ及び上記表示条件に基づき、上記端末機のディスプレイ上に表示させることができる。
【００３３】
その結果、例えば、上記広告情報表示データが特定企業又は団体のバナーである場合に、上記表示条件に基づいた位置に又は回数に亘って表示することにより、本システムのユーザに対し、顧客である企業又は団体が適宜選択した所望の表示条件に基づき前記広告情報を容易に且つ効果的にアピールすることができるため、各顧客の個別事情に基づく、個別の要望に沿った広告活動を端末機のディスプレイ上において行うことができる。
【００３４】
請求項３の発明にあっては、上記番組の映像は、放映されたニュースであると共に、上記広告情報表示データの上記表示条件は、表示時間帯、所定時間内の表示回数、表示時間、表示ディスプレイ内における表示位置、上記特定情報との関連性又はキーワードであることから、前記ニュースに関連した広告情報を上記表示条件で配信することができる。
【００３５】
その結果、本システムのユーザは、端末機のディスプレイ上において、テレビから放送されたニュース番組の内容のテキストデータのうち、特定のテキストデータを視認することができるため、ユーザは端末機のディプレイ上においてテレビ局から放送されたニュースをテキストデータで集中的、かつ効率的に確認することができる。
【００３６】
また、顧客は、各顧客の要望に応じて、自社の広告情報の表示時間帯をどの時間帯にするか、所定時間内に何回表示させるか、自社の広告情報の表示時間をどの程度の長さにするか、表示画面内における表示位置をどの位置にするか、又は、上記ニュースとの関連性を持たせるか否か、もしくは、キーワード検索に基づき表示させるか、の条件を選択することができるため、各顧客の個別事情、個別の要望に応じた広告情報の表示を行うことができる。
【００３７】
請求項４の発明にあっては、上記カップリングテキストデータは、上記ニュースのジャンルにより表示できることから、ユーザはニュースをテキストデータにより迅速に、かつ継続して確認することができる。
【００３８】
また、顧客の希望により各ニュース内容に関連付けて広告情報を表示させる場合には、例えば、政治、経済、海外、文化、スポーツ、エンタメ等の各分野のニュースに関連付けて上記広告情報表示データを表示させることができるため、顧客はニュース内容に絡めて自社の広告を表示させることができるため、ユーザが視認した場合の広告の効果を増大することができる。
【００３９】
請求項５の発明にあっては、上記端末機は、ＰＤＡであることから、例えば、ユーザは、通勤時や移動時の電車や車の中、また社内でも上記テキストデータ及び広告情報等を、場所や時間を選ばずに閲覧することができる。
【００４０】
現代において、携帯電話、スマートフォン、タブレットコンピュータを含むＰＤＡは、その携帯性の点で、パソコンを遥かに凌駕しており、情報通信端末としては最も手軽で一般大衆に普及している。
【００４１】
従って、本発明に係る特定情報関連広告配信システムがＰＤＡに対して適用されることにより、ユーザは広く一般大衆となり、使用する時間帯も限定されないことから、デスクトップパソコン又はラップトップパソコン以上の頻度の利用を確保することができる。
【００４２】
その結果、ニュースを視聴する時間の少ないユーザに対しても、効率的に広告をアピールすることができ、広告効果を増大させることができると共に、本システムの顧客であって広告主である一般企業又は団体は、パソコンを介する場合以上の広告効果を得ることができる。
【００４３】
請求項６の発明にあっては、上記広告情報表示データには、該当する顧客が所有するウェブサイトを特定するためのＵＲＬによるハイパーリンクが形成されていることから、ユーザは広告情報に基づき、当該顧客のインターネット上にあるウェブサイトのページを参照することができ、詳細な企業や団体情報を得ることができるため、顧客は高効率な広告効果を得ることができる。
【００４４】
請求項７記載の発明にあっては、上記広告情報表示データには、上記顧客の取扱商品の広告映像がアップされている動画サイトにおける該当するウェブページを特定するためのＵＲＬによるハイパーリンクが形成されていることから、ユーザは広告情報に基づき、顧客の取扱商品の広告映像がアップされている動画サイトの該当するウェブページを参照することができ、詳細な製品情報を得ることができるため、ユーザの特定商品に対する購買意欲を増進させることができ、その結果、顧客は高効率な広告効果を得ることができる。
【００４５】
請求項８の発明にあっては、テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして上記カップリングテキストデータを取得すると共に、上記録画装置の上記録画ファイルにアクセスして上記カップリングテキストデータに対応する映像情報を上記録画ファイルから取得して上記ディスプレイへ表示しうるように構成されていることから、テキスト情報だけでなく放映されたニュース画像も上記ディスプレイ上に表示させることができる。
【００４６】
その結果、テキスト情報のみならず当該ニュースの映像についても、ニュース動画として内容を確認することができるため、ユーザは臨場感を持ってニュース内容を確認することができ、ユーザのみならず顧客も本システムをより有効に活用することができる。
【００４７】
請求項９記載の発明にあっては、テレビの複数チャンネルにおいて放送された複数番組の映像を所定期間に亘って録画し、チャンネル名及びタイムスタンプと共にカップリングされた映像情報として格納する録画ファイルを有する録画装置を備え、上記端末機は、上記広域通信ネットワークを介して上記カップリングテキストデータベースサーバにアクセスして特定の顧客の広告に関するカップリングテキストデータを取得すると共に、上記録画装置の上記録画ファイルにアクセスして上記カップリングテキストデータに対応する広告に関する映像情報を上記録画ファイルから取得して上記ディスプレイへ表示しうるように構成されており、ユーザは、端末機のディスプレイ上において所望の広告映像を視認することができるため、端末機上でテレビで放映された顧客の広告映像を視認することが可能となり、顧客はより広告効果を増大させることが可能となる。
【００４８】
請求項１０記載の発明にあっては、上記広告情報データベースサーバは、広告映像データを有し、上記端末機は、上記広域通信ネットワークを介して上記カップリングテキストデータベースサーバにアクセスして特定の顧客の広告に関するカップリングテキストデータを取得すると共に、上記広告情報データベースサーバにアクセスして上記カップリングテキストデータに対応する広告映像を取得して上記ディスプレイへ表示しうるように構成されており、ユーザは、端末機のディスプレイ上において所望の広告映像を視認することができる。
【００４９】
近年の広告映像の質は非常に高く、広告映像自体が鑑賞に堪えるものであると共に、広告映像には有名俳優や歌手が多数出演していることから、当該俳優や歌手のファンはその広告映像のみを独立して見たいという要請があり、本請求項記載の発明はこのようなユーザの要請に応えることができる。
【００５０】
その結果、本発明を利用することにより、顧客であって広告の提供会社である企業や団体もより広告効果を増大させ、企業活動を活発化させることができる。
【図面の簡単な説明】
【００５１】
【図１】本発明に係る特定情報関連広告配信システムの一実施の形態を示すシステム図である。
【図２】本発明に係る特定情報関連広告配信システムの一実施の形態を示し、本実施形態に係る特定情報関連広告配信システムをスマートフォンを利用する場合に適用した場合において、当該スマートフォンのディスプレイ上の表示状態を示す図である。
【図３】本発明に係る特定情報関連広告配信システムの一実施の形態を示し、本実施形態に係る特定情報関連広告配信システムをスマートフォンを利用する場合に適用した場合において、当該スマートフォンのディスプレイ上の表示状態を示す図である。
【図４】本発明に係る特定情報関連広告配信システムの一実施の形態を示し、本実施形態に係る特定情報関連広告配信システムをスマートフォンを利用する場合に適用した場合において、当該スマートフォンのディスプレイ上の表示状態を示す図である。
【発明を実施するための最良の形態】
【００５２】
以下、本発明に係る特定情報関連広告配信システムを実施の形態に基づき、図面を参照して詳細に説明する。
【００５３】
なお、本発明の特定情報関連広告配信システムは、以下の実施形態に限定されるものではなく、本発明の要旨を逸脱しない範囲内において種々変更を加え得ることは可能である。
【００５４】
まず、本実施の形態に係る特定情報関連広告配信システム１０について説明する。
【００５５】
図１に示すように、本実施の形態に係る特定情報関連広告配信システム１０は、各テレビ局１１により放送される全チャンネルの全番組を、所定期間（例えば、２週間）に亘って録画装置１２により録画し、録画された各番組の映像内容を解析センター１３でテキストデータ化し、テキストデータや映像内容を、企業又は団体の広告と共に、広域通信ネットワーク１４を介してユーザの端末機１５からの操作により、端末機１５のディスプレイ２８上に表示できるように構成されている。
【００５６】
即ち、図１に示すように、特定情報関連広告配信システム１０は、テレビの複数チャンネルにおいて放送された複数番組の映像を所定期間に亘って録画する録画装置１２と、録画装置１２により録画された各番組の映像内容をテキストデータ化する解析センター１３と、解析センター１３により作成されたテキストデータや映像内容を、企業又は団体の広告と共に、広域通信ネットワーク１４を介してユーザの操作によりディスプレイ２８上に表示へ表示させる端末機１５とを備えている。
【００５７】
録画装置１２は、長期間に亘ってテレビ局１１の全チャンネルにおいて放送される全テレビ番組、例えば、ニュース番組、バラエティ番組、ドラマ、スポーツ番組等の他、各番組間に放送される広告映像等を録画できる非常に大きな容量の記憶手段を有するビデオレコーダーである。
【００５８】
図１に示すように、録画装置１２は、テレビの複数チャンネルにおいて放送された全番組の映像を所定期間に亘って録画し、チャンネル名２０及びタイムスタンプ２１と共にカップリングされた映像情報１７として格納する録画ファイル１８を備えている。
【００５９】
映像情報１７には、番組、番組内コーナー、広告映像、テーマやジャンル毎に、番組のタイトル、番組の放送日、秒単位の放送時間、放送時間長、映像コンテンツ、音声、テロップ、出演者、番組に登場する企業名、団体名、商品名、サービス名等が含まれている。
【００６０】
一方、図１に示すように、解析センター１３は、テレビ局１１により放送された全ての番組の映像内容を要約してテキストデータを作成するものであり、テレビ局１１により放送された番組の内容及び番組タイトルのテキストデータ１９、チャンネル名２０並びに放送時間を表示するタイムスタンプ２１が相互にカップリングされたカップリングテキストデータ２２を格納するカップリングテキストデータベースサーバ２３と、顧客の広告情報データを格納する広告情報データベースサーバ２４とを備えている。
【００６１】
従って、本実施の形態に係る特定情報関連広告配信システム１０にあっては、映像情報１７に含まれる番組、番組内コーナー、広告映像について、番組のタイトル、番組の放送日、秒単位の放送時間、放送時間長、映像コンテンツ、音声、テロップ、出演者、番組に登場する企業名、団体名、商品名、サービス名等に関して人手を介して番組内容が要約され、映像情報１７の内容に基づいたテキストデータ１９が作成される。
【００６２】
所定期間内に放送された全ての放送番組や広告等の映像をカップリングテキストデータ化する作業は、放送番組の受信とリアルタイムで連続して行われることから、カップリングテキストデータベースサーバ２３にはカップリングテキストデータ２２が常時蓄積され、例えば、主要６局により放送された全ての番組や広告等の全放送情報に関する膨大なカップリングテキストデータ２２が常時蓄積されている。
【００６３】
一方、広告情報データベースサーバ２４は、図１に示すように、顧客の広告情報を表示する広告情報表示データ３０と、顧客が予め選択した、端末機１５のディスプレイ２８上における広告情報表示データ３０の表示条件３１を有している。
【００６４】
広告情報表示データ３０は、顧客である一般企業又は団体の広告を表示するデータであり、例えば、端末機１５のディスプレイに表示される、当該企業又は団体のバナー広告である。
【００６５】
上記バナー広告は、上記広告情報表示データ３０は、顧客が所有するウェブサイト５８や顧客の取扱商品等の広告映像がアップされている動画サイト５９等へのハイパーリンク用のバナーであり、端末機１５のディスプレイ２８上に表示されるバナー用画像や、顧客が所有するウェブサイト５８や顧客の取扱商品の広告映像がアップされている動画サイト５９等を特定するためのＵＲＬ情報も含まれている。
【００６６】
表示条件３１とは、例えば、予め顧客が設定した端末機１５のディスプレイ２８上における広告情報表示データ３０の表示時間帯、表示期間、所定時間内の表示回数、ディスプレイ内における表示位置を指し、さらには、映像情報１７との関連性又は端末機１５が備える検索機能に基づくキーワード検索により、広告情報を検索するために使用されるキーワードを含む。
【００６７】
表示条件３１を設定することにより、顧客は、各顧客の要望に応じて、自社の広告情報の表示時間帯をどの時間帯にするか、自社の広告情報の表示期間をどの程度にするか、所定時間内に何回表示させるか、ディスプレイ２８内における表示位置をどの位置にするか、又は、映像情報１７との関連性を持たせるか否か、もしくは、キーワード検索に基づき表示させるか、の条件を選択することができるため、各顧客の個別事情、個別の要望に応じた広告情報の表示を行うことができる。
【００６８】
図１に示すように、広域通信ネットワーク１４には、例えば、インターネット、ＬＡＮ等が該当する。また、端末機１５には、スマートフォン、携帯電話、タブレット型コンピュータ等のＰＤＡ、デスクトップ型又はラップトップ型パソコン、デジタルメディアプレイヤー、携帯型音楽プレイヤー、携帯型ゲーム機等の広域通信ネットワーク１４へアクセスして情報の交信を行いうる機器が該当する。
【００６９】
そして、端末機１５による映像情報１７、カップリングテキストデータ２２、広告情報表示データ３０及び広告映像データ５７の取得は、端末機１５に内蔵されたブラウザにより行なわれる。
【００７０】
次に、本実施の形態に係る特定情報関連広告配信システム１０の機能について説明する。
【００７１】
図１に示すように、録画装置１２は、テレビ局１１により放送された全映像を録画し、録画した映像と、チャンネル名２０及びタイムスタンプ２１とをカップリングして映像情報１７として録画ファイル１８に格納する。
【００７２】
一方、解析センター１３においては、テレビ局１１により放送された全番組は、人手を介して要約された状態で文字化され、放送局、番組名、番組のテキストデータ１９及び番組コーナーのテキストデータ１９による要約が作成され、チャンネル名２０及びタイムスタンプ２１とがカップリングされた状態で、カップリングテキストデータ２２としてテキストデータベースサーバ２３に格納される。
【００７３】
また、図１に示すように、解析センター１３においては、一般企業又は団体からなる広告主である顧客からの依頼のあった広告情報表示データ３０及び広告情報表示データ３０の表示条件３１が、広告情報データベースサーバ２４にそれぞれ入力される。
【００７４】
従って、表示条件３１を設定することにより、一般企業又は団体である本システムの顧客は、個別の要望に応じて、自社の広告情報の表示時間帯をどの時間帯にするか、自社の広告情報の表示期間をどの程度にするか、所定時間内に何回表示させるか、ディスプレイ２８内における表示位置をどの位置にするか、又は、映像情報１７との関連性を持たせるか否か、もしくは、キーワード検索に基づき表示させるか、の条件につき、適宜選択して設定することができる。
【００７５】
本実施の形態に係る特定情報関連広告配信システム１０のユーザ（一般利用者）は、図２に示すように、端末機１５のジャンル別選択ボタン５１を適宜操作することにより、「最新情報」、「政治」、「経済」、「スポーツ」、「エンタメ」、「ＣＭ」、「その他」等の分野の中から、いずれかを選択することが可能であり、いずれかの分野が選択された場合には、図１に示すように、端末機１５はブラウザを使用して、広域ネットワーク１４を介して解析センター１３のカップリングテキストデータベースサーバ２３にアクセスして、対応するカップリングテキストデータ２２の中から対応する分野のテキストデータ１９、チャンネル名２０及びタイムスタンプ２１を抽出して、端末機１５のディスプレイ２８に表示する。
【００７６】
同時に、端末機１５はブラウザにより、解析センター１３の広告情報データベースサーバ２４にアクセスして広告情報表示データ３０を取得して、端末機１５のディスプレイ２８上に表示する。
【００７７】
具体的には、端末機１５は、図２に示すように、ジャンル別のニュース番組の、タイムスタンプ２１に基づく時刻３２、テレビ局名３３、ニュース番組内容の要約３４を、ディスプレイ２８上に表示すると共に、一般企業又は団体である顧客が指定した広告の表示条件３１に基づき、広告情報表示データ３０を広告バナー５０として所定位置において所定時間帯内で所定回数に亘り表示する。
【００７８】
本実施の形態にあっては、一般利用者であるユーザが端末機１５に表示された広告バナー５０をクリックした場合には、広告バナー５０には当該顧客が所有するウェブサイトを特定するためのＵＲＬによるハイパーリンクが形成されていることから、ユーザは、インターネット等の広域通信ネットワークを介して顧客のウェブサイト５８へアクセスすることができ、顧客のウェブサイトのコンテンツをディスプレイ２８上に表示させることもできる。
【００７９】
従って、本実施の形態に係る特定情報関連広告配信システム１０においては、ユーザは、スマートフォン等の端末機１５を使用することにより、例えば、通勤途上の通勤電車の車中において、テキスト文書により作成された各ジャンルのニュース番組の要約３４を読むことができると同時に、当該ニュースに適宜関連付けられて配置された、顧客である企業又は団体のウェブサイトに掲載された広告バナー５０による広告情報を視認することができる。この場合、ニュース番組の要約３４をクリックすることにより、さらに詳細なニュース番組の要約をディスプレイ２８に表示させてユーザが読めるように構成することもできる。
【００８０】
その結果、ユーザは、ニュース番組の要約３４のテーマ（例えば、「日本の自動車の輸出量増大」）に関連して配置されたバナー（例えば、自動車会社の広告バナー）をクリックすることにより当該自動車会社のウェブサイト５８を視ることができ、関連性を持って興味深く情報検索を行うことができる。
【００８１】
一方、顧客である一般企業又は団体は、端末機１５のユーザに対して広告情報を
各種のニュースに関連付けてアピールすることができることから、当該企業又は団体の広告効果を増大させることができる。
【００８２】
また、本実施の形態に係る特定情報関連広告配信システム１０にあっては、広告バナー５０を表示する条件を、顧客の要望により適宜選択することができる。
【００８３】
従って、顧客は、自社の広告バナー５０の表示時間帯をどの時間帯にするか、自社の広告情報の表示期間をどの程度にするか、所定時間内に何回表示させるか、ディスプレイ２８内における表示位置をどの位置にするか、又は、ニュース番組の内容との関連性を持たせるか否か、もしくは、キーワード検索に基づき表示させるか、の条件を選択することができるため、各顧客の個別事情、個別の要望に応じた広告バナー５０の表示を行うことができる。
【００８４】
また、本実施の形態に係る特定情報関連広告配信システム１０にあっては、上述した通り、特定のニュース番組のジャンルに関連付けて広告バナー５０を表示することができる。
【００８５】
また、本発明に係る特定情報関連広告配信システムにあっては、端末機１５のブラウザにより録画装置１２の録画ファイル１８へアクセスして、放送映像に関する特定のテキストデータ１９に対応する映像情報１７を取得し、テキストデータ２２により構成されるニュース番組の要約３４に対応する映像情報１７を端末機１５のディスプレイ２８上に表示させるように構成することもできる。
【００８６】
即ち、本実施の形態にあっては、テレビの複数チャンネルにおいて放送された複数番組の映像を所定期間に亘って録画し、チャンネル名２０及びタイムスタンプ２１と共にカップリングされた映像情報として格納する録画ファイルを有する録画装置１２を備えていることから、ユーザは、端末機１５のディスプレイ２８上において、例えば、ニュース番組の要約３４をクリックした場合には、ブラウザは、当該クリックされたテキストデータ１９にカップリングされたチャンネル名２０及びタイムスタンプ２１を基に、録画装置１２の録画ファイル１８に記録された全映像情報の中から同一のチャンネル名２０及びタイムスタンプ２１がカップリングされた映像を検索するマッチング作業を行い、マッチングして取得した映像情報１７をディスプレイ２８上に表示させる。
【００８７】
その結果、本実施の形態にあっては、ユーザは端末機１５を使用することにより、テレビ局１１から放送されたニュースのテキストデータ１９による番組内容の要約３４のみならず、希望する場合には、当該ニュースのテキストデータ１９に対応する放送された映像も手軽に視ることができる。
【００８８】
また、本発明に係る特定情報関連広告配信システムにあっては、図３に示すように、ユーザは、端末機１５のディスプレイ２８上において、ジャンル選択簿ボタン５１を操作することによりジャンル別に選択したＣＭ（広告）の要約５２をクリックした場合には、ブラウザは、当該クリックされたＣＭの要約５２を構成するテキストデータ１９にカップリングされたチャンネル名２０及びタイムスタンプ２１を基に、録画装置１２の録画ファイル１８に記録された全映像情報の中から同一のチャンネル名２０及びタイムスタンプ２１の映像を検索するマッチング作業を行い、マッチングしたＣＭ映像としての映像情報１７をディスプレイ２８上に表示する。
【００８９】
また、本実施の形態にあっては、端末機１５のブラウザ機能を使用することにより、ディスプレイ２８の表示された検索ワード挿入部５４に検索キーワード、例えば、俳優の氏名等を入力することにより、当該俳優が出演しているＣＭに関するテキストデータ５２を複数リストアップさせることもできる。従って、ユーザは複数リストアップされたＣＭに関するテキストデータ５２について、希望する場合には、対応するＣＭ映像をディスプレイ２８上に表示させて鑑賞することができる。
【００９０】
その結果、本実施の形態に係る特定情報関連広告配信システム１０により、ユーザは、端末機１５のディスプレイ２８上において、テレビ局１１により放送された、テキストデータ１９からなるＣＭの要約５２を読むことができると共に、当該ＣＭの要約５２に対応する映像を視認することができる。
【００９１】
近年、テレビ放送されるＣＭ映像も映像的価値が高まり、ＣＭ映像のみを鑑賞したいというニーズも高まっていることから、本実施の形態にあっては、このようなニーズに応えられるものである。
【００９２】
一方、一般企業又は団体である顧客は、端末機１５のユーザに対して広告情報を容易にアピールすることができ、当該企業又は団体の広告効果を増大させることができる。
【００９３】
また、本実施の形態に係る特定情報関連広告配信システム１０にあっては、図１に示すように、広告情報データベースサーバ２４内に、各種動画サイトにアップロードされた様々な企業のＣＭ映像からなる広告映像データ５７を備えてもよい。
【００９４】
これにより、端末機１５は、ブラウザにより広域通信ネットワーク１４を介してカップリングテキストデータベースサーバ２３にアクセスして特定の顧客の広告に関するカップリングテキストデータ２２を取得すると共に、広告情報データベースサーバ２４にアクセスしてカップリングテキストデータ２２に対応する広告映像データ５７を取得し、図４に示すように、例えば、広告映像のサムネイル１６を、所望の数だけディスプレイ２８へ表示することができる。
【００９５】
従って、本実施の形態にあっては、ユーザは希望するサムネイル１６をクリックすることにより、対応するＣＭ映像を端末機１５のディスプレイ２８上で手軽かつ迅速に鑑賞することができる。
【００９６】
近年の広告映像の質は非常に高く、広告映像自体が鑑賞に堪えるものであると共に、広告映像には有名俳優や歌手が多数出演していることから、当該俳優や歌手のファンはその広告映像のみを独立して見たいという要請があり、本実施の形態に係る特定情報関連広告配信システム１０はこのようなユーザの要請に応えることができる。
【００９７】
その結果、本実施の形態に係る特定情報関連広告配信システム１０を利用することにより、顧客であって広告の提供会社である企業や団体もより広告効果を増大させ、企業活動を活発化させることができる。
【産業上の利用可能性】
【００９８】
本考案に係る特定情報関連広告配信システムは、本システムの顧客である一般企業や団体は、本システムを利用して企業や団体の広告情報を端末機のディスプレイ上に表示させることができると共に、本システムのユーザは、端末機のディスプレイ上において、テレビ局により放送された映像情報の内容に対応するテキストデータのうち、抽出された特定情報及び配信された、顧客である企業又は団体の広告情報を視認することができるから、ユーザは、放送番組のテキストデータと共に、上記テキストデータに含まれる社名や製品名等の単語に関連する広告を、上記広告情報として上記端末機のディスプレイ上で視認することができるため、端末機のユーザに対して広告情報を容易にアピールすることができ、当該企業又は団体の広告効果を増大させることができ、その結果、スマートフォン、携帯電話、タブレット型コンピュータ等のＰＤＡ、パソコン、デジタルメディアプレイヤー、携帯型音楽プレイヤー、携帯型ゲーム機等の端末機に適用でき、極めて有用であることから産業上の利用可能性を有している。
【符号の説明】
【００９９】
１０  特定情報関連広告配信システム
１１  テレビ局
１２  録画装置
１３  解析センター
１４  広域通信ネットワーク
１５  端末機
１６  サムネイル
１７  映像情報
１８  録画ファイル
１９  テキストデータ
２０  チャンネル名
２１  タイムスタンプ
２２  カップリングテキストデータ
２３  テキストデータベースサーバ
２４  広告情報データベースサーバ
２８  ディスプレイ
３０  広告情報表示データ
３１  表示条件
３２  時刻
３３  テレビ局
３４  ニュース番組の要約
５０  広告バナー
５１  ジャンル別選択ボタン群
５２  ＣＭの要約
５４  検索ワード挿入部
５５  検索ボタン
５７  広告映像データ
５８  ウェブサイト
５９  動画サイト
【図１】
2015049286.tif 000003
【図２】
2015049286.tif 000004
【図３】
2015049286.tif 000005
【図４】
2015049286.tif 000006